(57)【特許請求の範囲】
【請求項１】
前身頃に、互いの打合せによって前開き口を形成する、見返しと、持ち出しと、を有した男性用のトランクス型パンツにおいて、見返しは、これを有する前身頃部側から前身頃の左右方向のほぼ中央または中央側に延びて、その先端縁と、持ち出し基部と、の間で、内側打合せ口を形成し、持ち出しは、これを有する前身頃部から見返し側に延びてそれの外側に打ち合わさり、その先端縁と、見返し基部と、の間で、外側打合せ口を形成し、
前身頃の、左右方向の中央の両側に、縦方向の縫着ラインがあり、この一方の縫着ラインに沿って前記外側打合せ口が開口していることを特徴とする男性用のトランクス型パンツ。
【請求項２】
振り分け縫着ラインは、前身頃の中央側生地と反中央側生地との端部同士を前身頃の反中央側に向けて縫い合わせて縫着端部とし、かつ、反中央側生地を縫着端部の縫着際で前記反中央側に折り返してできる、前記中央側に向いた折り返し縁によって形成され、見返し生地は、外側打合せ口が沿う側の振り分け縫着ラインを形成している、前身頃の前記中央側生地と前記反中央側生地との端部同士に、基部が外側打合せ口の開口域を超えた範囲で縫着され、前身頃の外側打合せ口が沿う振り分け縫着ラインの側では、前記中央側生地は、見返しとの打合せ域が持ち出しとなって、前記反中央側生地の端部同士を縫着しない遊離域で内側への折り返し縁を有して外側打合せ口をなしている請求項１に記載の男性用のトランクス型パンツ。
【発明の詳細な説明】
【技術分野】
【０００１】
本発明は男性用の下半身衣類に関し、詳しくは排尿時に男性局部がスムーズに取り出せる前開きを備えた男性用のトランクス型パンツに関するものである。
【背景技術】
【０００２】
下記特許文献１は、このような排尿時に男性局部がスムーズに取り出せる前開きを備えた男性用のトランクス型パンツを開示している。特許文献１に開示のトランクス型パンツは、打ち合わせ状態に前開き口を形成する見返しおよび持ち出しの下端線と股ぐり線のなす角度が０度となるように形成することで、前開き口の下端が男性局部の下部に位置するので、男性局部を取り出しやすいとしている。また、前開き口は、前身頃のセンターに対して打ち合わせ域が左右両側に均等に位置した配置例と、前身頃のセンターから片方によって位置した配置例とが開示されている。このような前開き口の配置例は、下記特許文献２、３にも開示されている。
【０００３】
特許文献３は、特に、前身頃のセンターから片側によって位置した前開き口と、その内側に上下端をパンツの上口縁と股部に縫着した長方形型の支持帯のセンターに設けた開口部と、の組み合わせからなる出し入れ構造を開示している。
【先行技術文献】
【特許文献】
【０００４】
【特許文献１】特開平９−２５６２０１号公報
【特許文献２】特開平３−３７０１号公報
【特許文献３】特開２０００−３０３２０４号公報
【発明の概要】
【発明が解決しようとする課題】
【０００５】
しかし、前開き口の打ち合わせ部が、前身頃のセンターに対して左右均等な配置であると、内側打合せ口と外側打合せ口との双方が男性局部に対して左右に振れた位置関係になる。このため、トランクス型パンツは伸縮性が無く保形性布帛製であることも原因して、男性局部の引き出し動作がスムーズではない。これは、前開き口の打合せ代が大きいほど影響が大きく、小さいと男性局部が不用意にはみ出してしまうので、これを防止するための釦止め構造が必要で、コスト上昇の原因になるし、取り出しにより時間が掛かることになる。
【０００６】
また、前開き口が、前身頃のセンターから片方によった配置例では、前記均等配置の場合よりも、内側打合せ口の前身頃のセンターからの振れ量が倍になるので、男性局部が取出しにくくなる。
【０００７】
さらに、特許文献３が開示する前開き口と支持帯の開口との組み合わせ構造では、前開き口の前身頃センターに位置する外側打合せ口と支持帯のセンターの開口との位置が一致していても、これらに対し前開き口の内側打合せ口が前開き口の打合せ代分片方によって位置して、それらの間を左前身頃と見返しとの連続部分が遮るので、支持帯による男性局部の支持効果はあっても、男性局部の取出しには特に不便である。
【０００８】
本発明は、このような問題に鑑み、男性局部をスムーズに取り出せる男性用のトランクス型パンツを提供することを課題とするものである。
【課題を解決するための手段】
【０００９】
上記の課題を解決するために、本発明の男性用のトランクス型パンツは、前身頃に、互いの打合せによって前開き口を形成する、見返しと、持ち出しと、を有した男性用のトランクス型パンツにおいて、見返しは、これを有する前身頃部側から前身頃の左右方向のほぼ中央または中央側に延びて、その先端縁と、持ち出し基部と、の間で、内側打合せ口を形成し、持ち出しは、これを有する前身頃部から見返し側に延びてそれの外側に打ち合わさり、その先端縁と、見返し基部と、の間で、外側打合せ口を形成していることを特徴とするものである。
【００１０】
このような構成では、見返し、持ち出し相互の打合せにより形成される前開き口が、内側打合せ口が前身頃の左右方向のほぼ中央に位置し、外側打合せ口が前身頃の左右方向の中央から片方によって形成される。従って、内側打合せ口は男性局部に対応する位置となり、この位置から、見返し、持ち出し相互の打合せ間を通じ、外側打合せ口が側方位置に開口する。これにより、男性局部はこれのほぼ半部以下しか覆われない見返しによる内側打合せ口から、見返しに邪魔されないで、見返し、持ち出し相互の打合せ間に導き、外側打合せ口から取り出せる。
【００１１】
上記において、さらに、前身頃の、左右方向の中央の両側に、縦方向の縫着ラインがあり、この一方の縫着ラインに沿って前記外側打合せ口が開口しているものとすることができる。
【００１２】
この構成によれば、上記に加え、さらに、前身頃が左右対称に振り分けた縦方向の振り分け縫着ラインを有する外観を得て、その一方の振り分け縫着ラインによって外側打合せ口が目立たなくできる。
【００１３】
上記において、さらに、振り分け縫着ラインは、前身頃の中央側生地と反中央側生地との端部同士を前身頃の反中央側に向けて縫い合わせて縫着端部とし、かつ、反中央側生地を縫着端部の縫着際で前記反中央側に折り返してできる、前記中央側に向いた折り返し縁によって形成され、見返し生地は、外側打合せ口が沿う側の振り分け縫着ラインを形成している、前身頃の前記中央側生地と前記反中央側生地との端部同士に、基部が外側打合せ口の開口域を超えた範囲で縫着され、前身頃の外側打合せ口が沿う振り分け縫着ラインの側では、前記中央側生地は、見返しとの打合せ域が持ち出しとなって、前記反中央側生地の端部同士を縫着しない遊離域で内側への折り返し縁を有して外側打合せ口をなしているものとすることができる。
【００１４】
このような構成では、上記に加え、さらに、振り分け縫着ラインが、折り返し縁の、前身頃の左右方向中央に向かって対向し合う対称状態で、得られる上、振り分け縫着ラインに沿う外側打合せ口の口縁を、当該振り分け縫着ラインをなす折り返し縁と、振り分け縫着ライン上での突き合わせ状態にすることができる。
【００１５】
上記において、さらに、持ち出しの、外側打ち合わせ口まわりの内側に、当て布が、当てがわれ、持ち出しおよび当て布双方の打合せ口の口縁が互いの重なり側に折り返して縫着されたものとすることができる。
【００１６】
このような構成では、上記に加え、さらに、外側打合せ口の口縁が、２枚の生地を折り返して縫着した２重の折り返し縁構造とすることができる。
【００１７】
上記において、さらに、振り分け縫着ラインは、前身頃の左右方向の中央側に凸に湾曲して形成され、前身頃の上端から、前身頃と後身頃との間に縫着される股部片の脚部開口に臨む端縁の両側に外れて、前身頃の左右の脚部開口に臨む端縁にまで、相互間隔が拡がるように至るよう形成されるのに併せ、前身頃の左右方向中央に、左右の反中央側生地の対向し合う凸縁同士を逢着した縦方向の立体化縫着ラインを設けたものとすることができる。
【００１８】
このような構成では、上記に加え、さらに、前身頃の、振り分け縫着ライン間の中央部の、縦方向の立体化縫着ラインにより立体化する領域を、腹部側から男性局部下となる股部片側に向けて、左右の振り分け縫着ラインと股部片の前縁との間の連続生地域にて、つまり、膨出輪郭ラインなしに、かつ、男性局部上対応位置から拡がり度を高めながら拡がらせることができる。
【００１９】
上記において、さらに、股部片は、前縁が前身頃側に凸、後縁が後身頃側に凹、をなして、左右方向の中央に縦方向の立体化縫着部が設けられた前身頃および後身頃双方と縫着されたものとすることができる。
【００２０】
このような構成では、上記に加え、さらに、股部片が股間中央部から内股までに沿う逆Ｕ字状になるのに、前身頃側に凸の前縁、後身頃側に凹の後縁による立体化した前身頃、後身頃との縫着にて、股間部に無理なく沿う立体形状を実現することができる。
【発明の効果】
【００２１】
本発明の男性用のトランクス型パンツによれば、見返し、持ち出し相互の打合せにより形成される前開き口の、内側打合せ口が、前身頃の左右方向のほぼ中央または中央側に位置して男性局部に対応し、この位置から、見返し、持ち出し相互の打合せ間を通じ、外側打合せ口が側方位置に開口するので、男性局部はこれのほぼ半部以下しか覆われない見返しによる内側打合せ口から、見返しに邪魔されないで、見返し、持ち出しの打合せ間に引き出し、この打ち合わせ間が通じている外側打合せ口の外へ、容易かつスムーズに取り出し、極めて短い取り出し時間で用を足せる。
【００２２】
上記に加え、さらに、縦方向の振り分け縫着ラインを前身頃の左右に振り分けた対称外観と、一方の振り分け縫着ラインに外側打合せ口が沿って目立たない外観とを備えた体裁の良い高品質なものとすることができる。
【００２３】
上記に加え、さらに、振り分け縫着ラインが、それらの間の中央部との折り返し縁による段差によって、対称外観を強調できる上、一方の外側打合せ口との突合せを体裁の良い折り返し縁同士として、しかも、互いの段差を抑えたさらに高品質なものとすることができる。
【００２４】
上記に加え、さらに、外側打合せ口の口縁を、２枚の生地を折り返して縫着した２重の折り返し縁構造として、外側打合せ口の口縁の内側擦れ強度を高められる。
【００２５】
上記に加え、さらに、前身頃の、振り分け縫着ライン間の中央部で、中央の縦方向の立体化縫着ラインにより、腹部から男性局部を経て股部片との縫着部に至る縦方向のボリューム変化、に対応する縦方向立体形状、を得ながら、立体化縫着ラインを境とした腹部から男性局部を経て股部片との縫着部に至る横方向のボリューム変化、に対応する左右方向立体形状、を、腹部側から男性局部下となる股部片側に向け、拡がり度を高めながら拡がり、左右の対向側に凸に湾曲した振り分け縫着ラインと股部片の前縁との間の連続生地域により、輪郭を持たない自然な膨らみ状態で得て、伸縮性の無い生地が原因しての不快な窮屈感がない程度の余裕を持って男性局部にフィットさせて穿き心地よくできるのに併せ、前開き口の内側打合せ口との対応位置に男性局部を安定させて、男性局部が内側打合せ口から位置ずれして取り出しにくくなるのを防止できる。
【００２６】
上記に加え、さらに、股部片が股間中央部から内股までに沿う逆Ｕ字状になるのに、前身頃側に凸の前縁、後身頃側に凹の後縁による立体化した前身頃、後身頃との縫着にて、股間部に無理なく沿う立体形状を実現し、屈伸時や歩行時の穿き心地を良くすることができる。
【図面の簡単な説明】
【００２７】
【図１】本発明の実施の形態に係る男性用のトランクス型パンツを、正面側を斜め左上から見て示す斜視図である。
【図２】同パンツの正面側を斜め下から見て示す着用状態の斜視図である。
【図３】同パンツの図１に示すＩＩＩ−ＩＩＩ線で見た着用状態の横断端面図である。
【図４】同パンツの図１に示すＩＶ−ＩＶ線で見た着用状態の断面図である。
【図５】同パンツのパターン生地例を示す展開図である。
【発明を実施するための形態】
【００２８】
本発明の実施の形態に係る男性用のトランクス型パンツについて、図１〜５を参照しながら説明し、本発明の理解に供する。以下の説明は本発明の具体例であって、特許請求の範囲の記載事項を限定するものではない。
【００２９】
図１〜図４に示す本実施の形態の、男性用のトランクス型パンツは、前身頃１に、互いの打合せによって前開き口２を形成する、見返し３と、持ち出し４と、を有した基本構成において、見返し３は、これを有する前身頃部１ａ側から前身頃１の左右方向のほぼ中央または中央側に延びて、その先端縁と、持ち出し４の基部と、の間で、内側打合せ口を２ａ形成し、持ち出し４は、これを有する前身頃部１ｂから見返し３側に延びてそれの外側に打ち合わさり、その先端縁と、見返し３の基部と、の間で、外側打合せ口２ｂを形成している。これにより、見返し３、持ち出し４相互の図３に示すような打合せ例により形成される前開き口２が、内側打合せ口２ａが前身頃１の左右方向のほぼ中央に位置し、外側打合せ口２ｂが前身頃１の左右方向の中央から片方によって、具体的には左側によって形成される。
【００３０】
このため、内側打合せ口２ａは男性局部、特に陰茎に対応する位置となり、この位置から、見返し３、持ち出し４相互の打合せ間５を通じ、外側打合せ口２ｂが側方位置、具体的には左側方に開口する。これにより、男性局部の陰茎はこれの半部以下しか覆われない見返し３による内側打合せ口２ａから、見返し３に邪魔されないで、見返し３、持ち出し４相互の打合せ間５に導き、外側打合せ口２ｂから取り出せる。
【００３１】
結果、見返し３、持ち出し４相互の打合せにより形成される前開き口２の、内側打合せ口２ａが、前身頃１の左右方向のほぼ中央または中央側に位置して男性局部、特に陰茎に対応し、この位置から、見返し３、持ち出し４相互の打合せ間５を通じ、外側打合せ口２ｂが側方位置に開口するので、男性局部の陰茎はこれの位置に対応した内側打合せ口２ａから、見返し３に邪魔されないで、見返し３、持ち出し４の打合せ間５に引き出し、この打ち合わせ間５が通じている外側打合せ口２ｂの外へ、容易かつスムーズに取り出し、極めて短い取り出し時間で用を足せる。従って、手の動きがスムーズでなかったり、尿感から排尿までの時間が短かったりする場合に好適である。
【００３２】
また、前身頃１の、左右方向の中央の両側に、図１、図２に示すような縦方向の縫着ライン６、７があり、この一方、具体的にはの左側の縫着ライン６に沿って前記外側打合せ口２ｂが開口するようにしている。これにより、前身頃１が左右対称に振り分けた縦方向の振り分け縫着ライン６、７を有する外観を得て、その一方の振り分け縫着ライン６によって外側打合せ口２ｂが目立たなくできる。結果、縦方向の振り分け縫着ライン６、７を前身頃の左右に振り分けた対称外観と、一方の振り分け縫着ライン６に外側打合せ口２ｂが沿って目立たない外観とを備えた体裁の良い高品質なトランクス型パンツとすることができる。
【００３３】
これら振り分け縫着ライン６、７は、どのように形成されてもよいが、本実施の形態では、図３に示すように、前身頃の中央側生地１１と左右の反中央側生地１２、１３との端部同士を、外側打合せ口２ｂは例外として、前身頃の反中央側に向けて縫い合わせて縫着端部６ａ、７ａとし、かつ、反中央側生地１２、１３を縫着端部６ａ、７ａの縫着際で前記反中央側に折り返してできる、前記中央側に向いた折り返し縁によって形成され、見返し３をなす見返し生地１４は、外側打合せ口２ｂが沿う側の振り分け縫着ライン６を形成している、前身頃１の前記中央側生地１１と前記反中央側生地１２との端部同士に、基部が外側打合せ口２ｂの開口域を超えた範囲で縫着され、前身頃の外側打合せ口２ｂが沿う振り分け縫着ライン６の側では、前記中央側生地１１は、見返し３との打合せ域が持ち出し４となって、前記反中央側生地１２の端部同士を縫着しない図３に示すような遊離域で内側への折り返し縁を有して外側打合せ口２ｂをなしている。
【００３４】
これにより、振り分け縫着ライン６、７が、折り返し縁の、前身頃１の左右方向中央に向かって対向し合う対称状態で、得られる上、振り分け縫着ライン６に沿う外側打合せ口２ｂの口縁を、当該振り分け縫着ライン６をなす折り返し縁と、振り分け縫着ライン６上での突き合わせ状態にすることができる。従って、振り分け縫着ライン６、７が、それらの間の中央生地１１部との折り返し縁による図３に示すような段差によって、対称外観を強調できる上、一方の外側打合せ口２ｂとの突合せを体裁の良い折り返し縁同士として、しかも、互いの段差を抑えたさらに高品質なものとすることができる。しかも、見返し生地１４は、前身頃１の前記中央側生地１１と前記反中央側生地１２との端部同士に、基部が外側打合せ口２ｂの開口域を超えた範囲で縫着されているだけであるため、着用姿勢によって見返し３のない場合に外側打合せ口２ｂから男性局部が覗き見されるのを回避する覆い特性を得ながら、男性局部取り出し時には外側打合せ口２ｂよりも長い分だけ押し退けられやすくなるので、男性局部の取り出しを全く邪魔しない利点がある。
【００３５】
さらに、持ち出し４の、外側打ち合わせ口２ｂまわりの内側に、当て布１５が、図１、図３に示すように当てがわれ、持ち出し４および当て布１５双方の打合せ口２ｂの口縁が図３に示すように互いの重なり側に折り返して縫着されたものとしてある。これにより、外側打合せ口２ｂの口縁が、２枚の生地を折り返して縫着した図３に示すような２重の折り返し縁構造とすることができる。従って、外側打合せ口２ｂの口縁を、２枚の生地を折り返して縫着した２重の折り返し縁構造として、外側打合せ口２ｂの擦れ負荷を受けやすい口縁部の内側擦れ強度を高められ、局部的な早期損傷の原因になるのを回避できる。
【００３６】
前記振り分け縫着ライン６、７は、図１、図２に見られるように、前身頃１の左右方向の中央側に凸に湾曲して形成され、前身頃１の上端から、前身頃１と後身頃１６との間に縫着される股部片１７の脚部開口１８、１９に臨む端縁の両側に外れて、前身頃１の左右の脚部開口１８、１９に臨む端縁にまで、相互間隔が拡がるように至るよう形成されるのに併せ、前身頃１の左右方向中央に、左右の反中央側生地の対向し合う凸縁同士を逢着した縦方向の立体化縫着ライン２１を設けたものとしてある。これにより、前身頃１の、振り分け縫着ライン６、７間の中央部の、縦方向の立体化縫着ライン２１により立体化する領域を、腹部側から男性局部下となる股部片１７側に向けて、左右の振り分け縫着ライン６、７と股部片１７の前縁との間の連続生地域にて、つまり、はっきりした膨出輪郭ラインなしに、かつ、男性局部上対応位置から拡がり度を高めながら拡がらせることができる。
【００３７】
したがって、前身頃１の、振り分け縫着ライン６、７間の中央部で、中央の縦方向の立体化縫着ライン２１により、腹部から男性局部を経て股部片１７との縫着部２２に至る縦方向のボリューム変化、に対応する図４の断面で見られるような縦方向立体形状、を得ながら、立体化縫着ライン２１を境とした腹部から男性局部を経て股部片１７との縫着部２２に至る横方向のボリューム変化、に対応する左右方向立体形状、を、腹部側から男性局部下となる股部片１７側に向け、拡がり度を高めながら拡がり、左右の対向側に凸に湾曲した振り分け縫着ライン６、７と股部片１７の前縁との間の連続生地域により、明瞭な輪郭を持たない図１、図２に示すような自然な膨らみ状態で得て、伸縮性の無い生地が原因しての不快な窮屈感がない程度の余裕を持って男性局部にフィットさせて穿き心地よくできるのに併せ、前開き口２の内側打合せ口２ａとの対応位置に男性局部を安定させて、男性局部が内側打合せ口２ａから位置ずれして取り出しにくくなるのを防止できる。
【００３８】
また、股部片１７は、図５に示すように、前縁が前身頃１側に凸、後縁が後身頃１６側に凹、をなして、左右方向の中央に縦方向の図１、図２に示す立体化縫着部２１、２３が設けられた前身頃１および後身頃１６双方と、図２に縫着部２２、２４で示すように縫着されたものとしている。これにより、股部片１７が股間中央部から内股までに沿う図２に示すような逆Ｕ字状になるのに、前身頃１側に凸の前縁、後身頃１６側に凹の後縁による立体化した前身頃、後身頃との縫着にて、股間部に無理なく沿う図２に示すような立体形状を実現することができる。従って、屈伸時や歩行時の穿き心地を良くすることができる。
【００３９】
ここで、図３、図４に仮想線で示すように、前身頃１の中央側生地１１の内側に、男性局部を包める大きさの、例えば短冊形や中央側生地１１に合わせた形状をした伸縮生地よりなる支持片３１を設けて、その上端と、下端とを、前身頃の上端と股部片１７の前縁または後縁とに、それらの間の、前身頃１の長さよりも短くして逢着することで、支持片３１により男性局部をホールドして安定させながら前身頃１から浮かせ、軽い尿漏れがあっても、これを支持片３１に吸収するが、前身頃側に染み出移るのを防止できるようになる。また、前記支持片３１の前身頃１からの浮きは、この部分での通気性を良くすることから、男性局部のむれを防ぎ、支持片３１が吸収した尿の渇きを促進する働きをする。支持片３１の下端が股武辺１７の後縁に縫着されているほど、支持片１７による男性局部に対する支持機能が高まり、支持が安定する。
【００４０】
また、支持片３１は、男性局部をホールドするために中央に立体化縫着部を有したものとすることもでき、この場合、支持変３１は伸縮性によって内側から王圧する男性局部に沿っていく働きを持つので、立体化しておく形状は当てがい初期に保持位置が決まる程度の浅い立体形状でよく、前身頃１との浮きは、男性局部をホールドした状態で、尿のしみ移りと、通気性確保のために所定量必要である。従って、この場合の中央側生地１１に必要な膨らみ量は、男性局部のボリュームを少し超えたものに設定することになる。また、そのための立体形状と、支持片３１との浮き代は、布帛の立体裁断上の高い保形性によって確保される。
【００４１】
さらに、必要に応じ支持片３１にもリット状の、つまり打合せなしの前開き口３２を設けて、ホールドしている男性局部を取り出しやすくすることができ、この前開き口３２は図３に示すように前開き口２の内側打合せ口２ａに対応させることで、支持片３１を設けたことにより、上記した男性局部の取り出しやすさは同じか、ほとんど損なわないものとなる。しかし、支持片３１が伸縮生地である場合は、男性局部の取り出しに際し押し退けやすいので男性局部が特に取り出しにくくなることはない。
【００４２】
さらに詳述すると、前身頃１、後身頃１６間の左右の側部縫着部３３、３４を含む、縫着部２２、２３、２４のそれぞれは、振り分けライン６、７の縫着部同様に、縫着部両側の生地の端部同士を逢着した縫着端部とし、この縫着端部の縫着際から一方の生地を他方の生地とは反対の側に折り返した部分としてある。また、振り分け縫着ライン６、７の縫着部を含めた全縫着部の端部同士はロック縫いされたもので、折り返し部は縫着端部に対して折り縫いしてある。外側打合せ口２ｂの開口端部は図１に符号３５を付して示す閂止め縫いしてある。見返し生地１４の内側打合せ口２ａの開口縁を、ロック縫いした端部を外側へ折り返して返し縫いた状態で形成している。また、当て布１５の内端縁はロック縫い処理されている。
【産業上の利用可能性】
【００４３】
本発明は、男性用のトランクス型パンツにおいて、男性局部を前開き口から取り出しやすくする改良技術に実用できる。
【符号の説明】
【００４４】
１  前身頃
２  前開き口
２ａ  内側打合せ口
２ｂ  外側打合せ口
３  見返し
４  持ち出し
５  打合せ間
６、７振り分け縫着ライン
１１  中央側生地
１２、１３  反中央側生地
１４  見返し生地
１５  当て布
１６  後身頃
１７  股部片
１８、１９  脚部開口
２１  立体化縫着ライン
２２、２３、２４、３３、３４  縫着部
【図１】
0005415300.tif 000002
【図２】
0005415300.tif 000003
【図３】
0005415300.tif 000004
【図４】
0005415300.tif 000005
【図５】
0005415300.tif 000006